(57)【要約】      （修正有）【課題】名刺等のカードを仕分けして収納する引出し式カード収納ケースを提供する。【解決手段】横断面が凹形状の外蓋１と、横断面が逆凹形状で両端面が開放された中枠２と、横断面が逆凹形状の内蓋４とからなり、外蓋１の底部と中枠２の底部との間にカードを収容可能とする第１の空間３が形成され、内蓋４の両側面と後端面を外蓋１と中枠の間に配置した状態で、内蓋４が外蓋１に対して係合摺動可能に配置されて閉じた引出し式カード収納ケースの形状が形成され、内蓋４の底部と中枠２の底部との間にカードを収容可能な第２の空間５が形成される引出し式カード収納ケースであって、カム溝と突起からなるカム機構を用い内蓋４を外蓋１に対して斜め外方に摺動・引き出すことによって、中枠２が外蓋１からほぼ平行に摺動・引き出され、第１の空間３と第２の空間５に対しカードの出し入れが可能となる。【選択図】図１
0003181993.tif 000002
【実用新案登録請求の範囲】
【請求項１】
横断面が凹形状で前端面を開放し後端面を有する外蓋と、
横断面が逆凹形状で両端面が開放された中枠と、
横断面が逆凹形状で前端面はカード脱落防止とされ、後端面を有する内蓋とからなる引出し式カード収納ケースであって、
外蓋内に中枠を外蓋に対して係合摺動可能でかつ外蓋の底部と中枠の底部との間にカードを収容可能とする第1の空間が形成されるように配置され、
外蓋の前端面と内蓋の前端面を同方向として、内蓋の両側面と後端面を外蓋と中枠の間に配置した状態で、内蓋が外蓋に対して係合摺動可能に配置されて閉じた引出し式カード収納ケースの形状が形成され、内蓋の底部と中枠の底部との間にカードを収容可能な第２の空間が形成され、
内蓋を外蓋に対して斜め外方に摺動・引き出すことによって、中枠が外蓋からほぼ平行に摺動・引き出され、第1の空間と第２の空間に対してカードの出し入れが可能となり、
内蓋を外蓋に対して摺動・押し入れることによって引出し式カード収納ケースが閉じられる、引出し式カード収納ケースであって、
外蓋と中枠の対面する側面に第１の突起とそれらの底部と平行でかつ第１の突起が嵌合する第１のカム溝を設け、第１の突起と第１のカム溝によって中枠を外蓋に対して係合摺動可能とし、
内蓋の側面後端部でかつ底部近傍に第２の突起を設け、かつそれが嵌合する第２のカム溝を外蓋の側面後方かつ開放端部近傍に設け、第２の突起と第２のカム溝によって内蓋が外蓋に対して係合摺動可能とし、
かつ外蓋と内蓋の対面する側面に第３の突起とそれが嵌合する第３のカム溝を設け、第３のカム溝は底部に対して斜めに延びかつ第３の突起を第３のカム溝に嵌合し、内蓋を外蓋から引き出す方向に移動させた場合に内蓋の前端部が外蓋と離間する方向に回動するようにされる、引出し式カード収納ケース。
【請求項２】
第1のカム溝と第１の突起部がそれぞれ外蓋の側面と中枠の側面に設けられている、請求項１の引出し式カード収納ケース。
【請求項３】
第３のカム溝と第３の突起部がそれぞれ外蓋の側面と内蓋の側面に設けられている、請求項１または２の引出し式カード収納ケース。
【請求項４】
外蓋に対して内蓋を引き出す方向に摺動させる場合に、内蓋の後端部によって中枠が引き出される方向に摺動する、請求項１〜３のいずれかの引出し式カード収納ケース。
【請求項５】
内蓋の前端部には指を引っかけて内蓋を外蓋に対して引き出すことを可能とする開口部が設けられている、請求項１〜４のいずれかの引出し式カード収納ケース。
【考案の詳細な説明】
【技術分野】
【０００１】
本考案は、名刺、カード等を収納するための引出し式カード収納ケースに関するものである。
【背景技術】
【０００２】
従来、引出し式カード収納ケースとしては、特許文献１に記載されている収納ケースが知られている。図６に示すように、本収納ケースは、ベース半体と、このベース半体とスライド可能に組み合わされるスライド半体と、このスライド半体と一体に設けられ、収納物を出し入れする開口部を開閉する蓋とで収納ケースを構成し、ベース半体に対しスライド半体をスライド操作したときに、蓋に設けられた突子がベース半体に設けられたカム溝に沿って移動することによって蓋が開閉動作される構造を取っている。
【０００３】
スライド半体がベース半体の後側板部に接した最後端位置にあるときには蓋が閉じた状態にあり、この状態では突子はカム溝の最後端の低い位置に係合している（同図（Ａ））。そしてこの状態から同図（Ｂ）に示す如くベース半体に対しスライド半体を前方にスライド操作すると、このスライド半体と一体に蓋も前方へ移動し、このとき蓋は突子がカム溝の傾斜に沿って前方の高い位置に移動することによってヒンジ部を支点として起き上がるように回動して開き、これによってケース前面の開口部が開放されてメモリーカードの出し入れが可能となる。またこの状態からスライド半体を後方へスライド操作すると、上記と逆の動作によって蓋が閉じられる。
【０００４】
本収納ケースでは、ベース半体に対しスライド半体をスライド操作して蓋で収納物を出し入れする開口部を開閉し、メモリーカードをベース半体とスライド半体で形成される収納部に出し入れが可能となっているが、収納箇所が１か所であるので、カードを仕分け収納する構造とはなっていない。
【先行技術文献】
【特許文献】
【０００５】
【特許文献１】特開２００１−２３３３６８
【考案の概要】
【考案が解決しようとする課題】
【０００６】
本考案は、多段の収容部を備え、名刺等のカードを仕分け収納することを可能とする名刺、カード等を収納するための引出し式カード収納ケースを提供することを目的とする。
【課題を解決するための手段】
【０００７】
（１）本考案は、横断面が凹形状で前端面を開放し後端面を有する外蓋と、
横断面が逆凹形状で両端面が開放された中枠と、
横断面が逆凹形状で前端面はカード脱落防止とされ、後端面を有する内蓋とからなる引出し式カード収納ケースであって、
外蓋内に中枠を外蓋に対して係合摺動可能でかつ外蓋の底部と中枠の底部との間にカードを収容可能とする第1の空間が形成されるように配置され、
外蓋の前端面と内蓋の前端面を同方向として、内蓋の両側面と後端面を外蓋と中枠の間に配置した状態で、内蓋が外蓋に対して係合摺動可能に配置されて閉じた引出し式カード収納ケースの形状が形成され、内蓋の底部と中枠の底部との間にカードを収容可能な第２の空間が形成され、
内蓋を外蓋に対して斜め外方に摺動・引き出すことによって、中枠が外蓋からほぼ平行に摺動・引き出され、第1の空間と第２の空間に対してカードの出し入れが可能となり、
内蓋を外蓋に対して摺動・押し入れることによって引出し式カード収納ケースが閉じられる、引出し式カード収納ケースであって、
外蓋と中枠の対面する側面に第１の突起とそれらの底部と平行でかつ第１の突起が嵌合する第１のカム溝を設け、第１の突起と第１のカム溝によって中枠を外蓋に対して係合摺動可能とし、
内蓋の側面後端部でかつ底部近傍に第２の突起を設け、かつそれが嵌合する第２のカム溝を外蓋の側面後方かつ開放端部近傍に設け、第２の突起と第２のカム溝によって内蓋が外蓋に対して係合摺動可能とし、
かつ外蓋と内蓋の対面する側面に第３の突起とそれが嵌合する第３のカム溝を設け、第３のカム溝は底部に対して斜めに延びかつ第３の突起を第３のカム溝に嵌合し、内蓋を外蓋から引き出す方向に移動させた場合に内蓋の前端部が外蓋と離間する方向に回動するようにされる、引出し式カード収納ケース。
【０００８】
本考案の好ましい態様としては、以下のものがある。
（２）第1のカム溝と第１の突起部がそれぞれ外蓋の側面と中枠の側面に設けられている、上記（１）の引出し式カード収納ケース。
（３）第３のカム溝と第３の突起部がそれぞれ外蓋の側面と内蓋の側面に設けられている、上記（１）または上記（２）の引出し式カード収納ケース。
（４）外蓋に対して内蓋を引き出す方向に摺動させる場合に、内蓋の後端部によって中枠が引き出される方向に摺動する、（１）〜（３）のいずれかの引出し式カード収納ケース。
（５）内蓋の前端部には指を引っかけて内蓋を外蓋に対して引き出すことを可能とする開口部が設けられている、（１）〜（３）のいずれかの引出し式カード収納ケース。
【考案の効果】
【０００９】
本考案に係る引出し式カード収納ケースによれば、第１及び第２のカード収容空間が形成され、内蓋を外蓋に対して引き出すことによって第１及び第２のカード収容空間にカードを出し入れすることができる。従って、第１と第２のカード収容空間に別のカードを入れて仕分けをすることが可能となる。
【図面の簡単な説明】
【００１０】
【図１】図１ａは本考案に係る引出し式カード収納ケースの閉じた状態を示し、上はその外観を示す斜視図であり、下は縦断面図を示し、      図１ｂは本考案に係る引出し式カード収納ケースにおいて内蓋を外蓋に対して斜め下方に摺動し半分引きした状態を示し、上はその外観を示す斜視図であり、下は縦断面図を示し、      図１ｃは本考案に係る引出し式カード収納ケースにおいて内蓋を外蓋に対して斜め下方に摺動し完全に引きした状態を示し、上はその外観を示す斜視図であり、下は縦断面図を示す。
【図２】図２は、本考案に係る引出し式カード収納ケースの外蓋を示す斜視図である。
【図３】図３は、本考案に係る引出し式カード収納ケースの中枠を示す斜視図である。
【図４】図４は、本考案に係る引出し式カード収納ケースの内蓋を示す斜視図である。
【図５】外蓋に対して中枠を組み付け、内蓋を外蓋に組み付ける前の状態を示す斜視図である。
【図６】従来技術の引出し式カード収納ケースの縦断面図であり、（Ａ）は閉じた状態、（Ｂ）は開放した状態を示す。
【考案を実施するための形態】
【００１１】
上述した本考案に係る引出し式カード収納ケースは、合成樹脂あるいはアルミ等適当な材料によって形成することができる。以下に、本考案に係る引出し式カード収納ケースの詳細について、実施例に基づいて説明する。本実施例はあくまで本考案の例示であって、本考案をこの実施例のみに限定されるものと解してはならず、当業者であれば考案請求の範囲内で種々の変更、変形が可能であることは明らかであろう。
【実施例１】
【００１２】
図１において、横断面凹形状の外蓋１の開放部を下向きにし、横断面逆凹形状の中枠２を外蓋１に係合摺動可能に組み付けられそれらの底部の間にカード収納用第１の空間３を形成する。更に、その下側から横断面逆凹形状の内蓋４の開放部を上向きにし、内蓋４を外蓋１に係合摺動可能に組み付けて内蓋底部と中枠底部の間にカード収納用第２の空間５を形成する。図１ａは本考案に係る引出し式カード収納ケースの閉じた状態を示し、図１ｂは内蓋４を外蓋１に対して斜め下方に摺動し半分引きした状態を示し、図１ｃは内蓋４を外蓋１に対してさらに斜め下方に摺動し完全に引きした状態を示す。各図において、上が斜視図であり、下は縦断面図を示し、７ａ、７ｂはそれぞれ第１空間及び第２空間に収納された名刺を示す。
【００１３】
図２は、横断面が凹形状で前端面１ａが開放され後端面１ｂが閉止された外蓋１の斜視図を示す。外蓋１の側面１ｃ中央の内側の底部に沿って延びる第1のカム溝１０ａと、第１のカム溝１０ａより更に後方の底部から斜め前方にわずかに凸状に湾曲して延びる第２のカム溝１０ｂと、後端面１ｂから側面上端部近傍でかつ平行に延びる第３のカム溝１０ｃが設けられている。
【００１４】
図３は、横断面が逆凹形状で両端面２ａ、２ｂが開放された中枠２の斜視図を示す。中枠２の両側面２ｃ、２ｃの外側の後方開放端部近傍には突起１１が設けられ、それぞれの突起１１は外蓋１の両側面１ｃ、１ｃのカム溝１０ａに嵌合し、中枠２は外蓋１の内部に係合摺動可能とされるようになっている。
【００１５】
図４は、横断面が逆凹形状で前端面４ａに切り欠け部Ｈが設けられ、後端面４ｂが閉止された内蓋４の斜視図を示す。切り欠け部Ｈは内蓋を外蓋から引き出す際に指が引っかかるようになっている。内蓋４の両側面の開放端部の後部には中枠の突起１１との干渉を防止する切り欠け部１２が設けられている。また、内蓋の両側面の後端面４ｂ及び底部４ｄの近傍には突起１３ａ、１３ａが設けられ、また内蓋の両側面の切り欠け部１２の中間位置近傍には突起１３ｂ、１３ｂが設けられ、突起１３ａ，１３ａ及び突起１３ｂ、１３ｂは外蓋１の両側面１ｃ、１ｃのカム溝１０ｃ、１０ｃ及び１０ｂ、１０ｂにそれぞれ嵌合し、内蓋４は外蓋１に対して係合摺動可能とされるようになっている。その際に、内蓋４の両側面４ｃ、４ｃは外蓋１の両側面１ｃ、１ｃと中枠２の両側面２ｃ、２ｃとの間に挿入され、内蓋４の後端面は外蓋１の後端面と中枠２の後端部との間に挿入されるようになっている。
【００１６】
図５は、外蓋１に対して中枠２を組み付け中枠外側面の突起１１、１１を外蓋内側面のカム溝１０ａ，１０ａに係合させ、これに対して内蓋４を組み付けて本考案に係る引出し式カード収納ケースを形成する際の分解図を示し、内蓋４の両側面４ｃ、４ｃを外蓋１の両側面１ｃ、１ｃと中枠２の両側面２ｃ、２ｃとの間に挿入し、内枠４の外側面の突起１３ａ，１３ａと１３ｂ、１３ｂを外蓋内側面のカム溝１０ｃ、１０ｃ及び１０ｂ、１０ｂに嵌合させることによって引出し式カード収納ケースが完成する。図１ａ参照。
【００１７】
図１ｂに示すように、内蓋４を途中まで外蓋１から斜め下方に引き出す際には、内蓋４の突起１３ａ，１３ａは外蓋１のカム溝１０ｃ、１０ｃに沿って外蓋底部とほぼ平行に進むとともに、突起１３ｂ，１３ｂは外蓋１のカム溝１０ｂ、１０ｂに沿って外蓋に対して斜め下方に進む。その際に、内蓋４の後端面４ｂによって中枠の後端部が押されて中枠は前に押し出される。
【００１８】
さらに、図１ｃに示すように、内蓋４を外蓋１から完全に斜め下方に引き出すことによって、外蓋１の底部と中枠２の底部によって形成される第１の空間４と外蓋１の底部と内蓋４の底部によって形成される第２の空間５に対して名刺の出し入れが可能となる。上の第１の空間及び下の第２の空間にそれぞれ貰った名刺および自分の名刺を入れることによって、名刺を仕分けすることが可能となる。
【００１９】
前述の実施例では、カム溝１０ａ、１０ｂを外蓋１の内側面に設け、対応する突起を中枠２及び内蓋４の外側面に設けたが、本考案はこの構成のみに限定されるものではない。例えば、突起を外蓋１の内側面に設け、対応するカム溝を中枠２及び内蓋４の外側面に設けて、外蓋１に対して内蓋４と中枠２とを上記と同様な動作を行わせても良い。また、外蓋の側面前端部を切り欠いて内蓋を引き出すことを可能としても良い。
【符号の説明】
【００２０】
１・・・外蓋、１ａ・・・前端面、１ｂ・・・後端面、１ｃ・・・側面、２・・・中枠、２ａ、２ｂ・・・端面、２ｃ・・・端面、３・・・第１の空間、４・・・内蓋、４ａ・・・前端面、４ｂ・・・後端面、４ｃ・・・側面、４ｄ・・・底部、５・・・第２の空間、７ａ、７ｂ・・・名刺、１０ａ・・・第1のカム溝、１０ｂ・・・第２のカム溝、１０ｃ・・・第３のカム溝、１１・・・第１の突起、１２・・・切り欠け部、１３ａ・・・第２の突起、１３ｂ・・・第３の突起
【図１】
0003181993.tif 000003
【図２】
0003181993.tif 000004
【図３】
0003181993.tif 000005
【図４】
0003181993.tif 000006
【図５】
0003181993.tif 000007
【図６】
0003181993.tif 000008